(57)【要約】【課題】ワークの破損防止をより確実に図りつつ、ポケット部に対し滑り止め手段を強固に取付けること等が可能なブリスタ包装機を提供する。【解決手段】ブリスタ包装機２０は、ポケット部４にワークＷを収容する収容装置２８と、収容装置２８よりも上流側にて、ポケット部４の底部に滑り止めシート１３を取付けるシート供給・貼付機構２６と、滑り止めシート１３の取付時にポケット部４を支持する支持機構２７とを備える。ワークＷの収容前に滑り止めシート１３が取付けられ、滑り止めシート１３の取付時に支持機構２７によりポケット部４が支持されるため、ワークＷの破損をより確実に防止しつつ、ポケット部４へと滑り止めシート１３を強固に取付けることできる。また、ブリスタパック１を開封した後の容器フィルム２をワークＷの収容箱として用いたときに、良好な使い勝手を得ることができる。【選択図】      図７
2017145033.tif 000002
【特許請求の範囲】
【請求項１】
所定のワークを収容するためのポケット部が形成された容器フィルムと、
前記ポケット部に前記ワークが収容された状態で前記ポケット部を塞ぐようにして前記容器フィルムに取着されたカバーフィルムと、
前記ポケット部の底部外面に取付けられた滑り止め手段とを備え、
前記カバーフィルムを外した後の前記容器フィルムを、前記ワークの収容箱として利用可能に構成されたブリスタパックを製造するためのブリスタ包装機であって、
前記ポケット部に前記ワークを収容する収容手段と、
前記収容手段よりも下流側において、前記容器フィルムに前記カバーフィルムを取着するシール手段と、
前記収容手段よりも上流側において、前記ポケット部の底部外面に前記滑り止め手段を取付ける取付手段と、
前記滑り止め手段の取付時に、前記ポケット部の内部において、前記ポケット部における前記滑り止め手段の被取付部分を支持する支持手段とを備えることを特徴とするブリスタ包装機。
【請求項２】
前記ブリスタパックは、前記ポケット部の底部のうち前記滑り止め手段の被取付部分以外の部位に、前記底部を押抜いて水抜孔を形成するための孔形成用手段を有しており、
前記収容手段の上流側において、前記底部に対し、前記孔形成用手段を設けるための加工手段を備えることを特徴とする請求項１に記載のブリスタ包装機。
【請求項３】
前記孔形成用手段は、前記底部を貫通しない状態の切込みからなることを特徴とする請求項２に記載のブリスタ包装機。
【請求項４】
前記底部のうち前記水抜孔を形成するために押抜かれた部位が、前記底部に連結された状態で維持されるように、前記ブリスタパックが構成されていることを特徴とする請求項２又は３に記載のブリスタ包装機。
【請求項５】
前記容器フィルムは、前記ポケット部の開口側端部から外側に延出形成された、前記カバーフィルムの取着されるフランジ部を有し、
前記ポケット部は、
前記フランジ部に連なるとともに、内周側に向けて徐々に前記底部側に傾斜するテーパ部と、
当該テーパ部よりも内周側に位置し、前記ワークが収容される収容部とを有し、
前記取付手段よりも上流側において、前記容器フィルムに対し前記ポケット部を形成するポケット部形成手段を備え、
前記ポケット部形成手段は、前記ポケット部の形成に際し、前記テーパ部及び前記収容部を一度に形成するように構成されていることを特徴とする請求項１乃至４のいずれか１項に記載のブリスタ包装機。
【請求項６】
前記ポケット部形成手段は、前記ポケット部の形成に際し、前記容器フィルムに対し、前記収容部の内面と前記ワークとの間に指が入る程度の隙間を作るための凹部を形成するように構成されていることを特徴とする請求項５に記載のブリスタ包装機。
【発明の詳細な説明】
【技術分野】
【０００１】
本発明は、所定のワークを収容するブリスタパックを製造するためのブリスタ包装機に関する。
【背景技術】
【０００２】
ブリスタパックは、各種ワーク（例えば、固形石鹸やペットフードなど）が収容されるポケット部の形成された容器フィルムと、その容器フィルムに対しポケット部の開口側を密封するように取着されるカバーフィルムとを備える。
【０００３】
また、ブリスタパックを製造するためのブリスタ包装機としては、帯状の容器フィルムに対しポケット部を形成するポケット部形成手段、ポケット部にワークを収容する収容手段、容器フィルムに対しカバーフィルムを取着することで帯状のブリスタフィルムを得るシール手段、及び、ブリスタフィルムを１パック単位に打抜き、ブリスタパックを得る打抜手段などを有するものが知られている。
【０００４】
また、ブリスタパックの開封後、ブリスタパックにおける容器フィルム部分をワークの収容箱として利用する手法が提案されている（例えば、特許文献１等参照）。
【０００５】
しかし、一般に容器フィルム部分は非常に軽いため、前記収容箱は比較的容易に動いてしまう。そのため、前記収容箱の配置位置や姿勢が定まりにくく、使い勝手の面で問題が生じてしまう可能性がある。
【０００６】
そこで、ポケット部の底面に粘着シートを取付け（貼付し）、容器フィルムを動きにくいものとすることにより、使い勝手の向上を図ることが考えられる（例えば、特許文献２等参照）。ここで、前記効果を十分に発揮させるためには、ポケット部の底面に対し粘着シートが強固に取付けられていることが好ましい。
【０００７】
ところが、ポケット部は通常容易に変形しやすいものであるため、ポケット部に対し粘着シートを強固に取付けることは難しい。
【０００８】
そこで、ポケット部に対しシートを取付ける際に、ポケット部に収容されたワークをポケット部の支えとして用いることで、ポケット部の底面に対しシートをより強固に取付けることが考えられる（例えば、特許文献３等参照）。
【先行技術文献】
【特許文献】
【０００９】
【特許文献１】実開昭５６−１３５４６４号公報
【特許文献２】特開２００２−９６８３５号公報
【特許文献３】実開昭６１−８０２０５号公報
【発明の概要】
【発明が解決しようとする課題】
【００１０】
しかしながら、ワークをポケット部の支えとして用いる場合には、ポケット部内においてワークが容易に位置変化しないように、ポケット部の形状をワークの形状に合わせたものとすること等が必要となる。そのため、このような形状の容器フィルムを収容箱として用いた場合には、ポケット部からのワークの取出しや、ポケット部に対するワークの収容が行いにくくなってしまい、使い勝手が悪くなってしまうおそれがある。また、シートの取付時にワークへと負荷が加わってしまい、ワークの破損を招いてしまうことも考えられる。
【００１１】
本発明は、上記事情に鑑みてなされたものであり、その目的は、ワークの破損防止をより確実に図りつつ、ポケット部に対し滑り止め手段を強固に取付けることができ、開封後の容器フィルムをワークの収容箱として用いたときに、良好な使い勝手を得ることができるブリスタパックを製造するためのブリスタ包装機を提供することにある。
【課題を解決するための手段】
【００１２】
以下、上記目的を解決するのに適した各手段につき、項分けして説明する。なお、必要に応じて対応する手段に特有の作用効果を付記する。
【００１３】
手段１．所定のワークを収容するためのポケット部が形成された容器フィルムと、
前記ポケット部に前記ワークが収容された状態で前記ポケット部を塞ぐようにして前記容器フィルムに取着されたカバーフィルムと、
前記ポケット部の底部外面に取付けられた滑り止め手段とを備え、
前記カバーフィルムを外した後の前記容器フィルムを、前記ワークの収容箱として利用可能に構成されたブリスタパックを製造するためのブリスタ包装機であって、
前記ポケット部に前記ワークを収容する収容手段と、
前記収容手段よりも下流側において、前記容器フィルムに前記カバーフィルムを取着するシール手段と、
前記収容手段よりも上流側において、前記ポケット部の底部外面に前記滑り止め手段を取付ける取付手段と、
前記滑り止め手段の取付時に、前記ポケット部の内部において、前記ポケット部における前記滑り止め手段の被取付部分を支持する支持手段とを備えることを特徴とするブリスタ包装機。
【００１４】
上記手段１によれば、ポケット部に対するワークの収容前に、ポケット部の内部からポケット部における滑り止め手段の被取付部分（取付予定部分）を支持した状態で、ポケット部の底部外面に対し滑り止め手段が取付けられる。従って、取付に伴う負荷をワークに加えることなく、つまり、ワークの破損をより確実に防止しつつ、比較的容易に変形のしやすいポケット部に対し、滑り止め手段を強固に取付けることができる。また、滑り止め手段が強固に取付けられることで、製造されたブリスタパックにおいて、滑り止め手段の機能が十分に発揮されることとなる。そのため、開封後の容器フィルムをワークの収容箱として用いたときに、良好な使い勝手を得ることができる。
【００１５】
さらに、上記手段１によれば、ポケット部内においてワークが位置変化しないように、ポケット部の形状をワークの形状に合わせたものとするといった必要はなくなる。そのため、ワークやポケット部の形状設計に関する自由度を高めることができる。従って、容器フィルムを収容箱として用いたときに、ポケット部からワークが取出しやすくなる形状などを採用することができ、使い勝手の一層の向上を図ることができる。
【００１６】
手段２．前記ブリスタパックは、前記ポケット部の底部のうち前記滑り止め手段の被取付部分以外の部位に、前記底部を押抜いて水抜孔を形成するための孔形成用手段を有しており、
前記収容手段の上流側において、前記底部に対し、前記孔形成用手段を設けるための加工手段を備えることを特徴とする手段１に記載のブリスタ包装機。
【００１７】
上記手段２によれば、加工手段によって、ポケット部の底部に孔形成用手段が形成される。そして、得られたブリスタパックにおいては、孔形成用手段を利用して、ポケット部の底部を押抜くことで、水抜孔を形成することができる。従って、例えば、ワークが固形石鹸であり、開封後の容器フィルムをその収容箱として用いたときに、固形石鹸等に付着した水などが収容箱に溜まりにくくなる。これにより、溜まった水に固形石鹸等が浸かってしまうことで、利用者が固形石鹸等を使う際に不快感を覚えたり、固形石鹸等が無駄になってしまったりすることをより確実に防止できる。その結果、一層良好な使い勝手を得ることができる。
【００１８】
手段３．前記孔形成用手段は、前記底部を貫通しない状態の切込みからなることを特徴とする手段２に記載のブリスタ包装機。
【００１９】
上記手段３によれば、孔形成用手段はポケット部の底部を貫通しない切込みによって構成されている。そのため、製造されたブリスタパックにおいて、カバーフィルムの開封前に、ポケット部内に収容されたワークが水分に晒されてしまうことを抑制でき、ワークの品質低下等を抑制することができる。また、ポケット部内に水分が入り込むことを防止できるため、ワークの使用場所の湿度が比較的高くなりやすい場合であっても、この使用場所やその近傍にブリスタパックを保管しておくことができる。従って、使い勝手をさらに高めることができる。
【００２０】
手段４．前記底部のうち前記水抜孔を形成するために押抜かれた部位が、前記底部に連結された状態で維持されるように、前記ブリスタパックが構成されていることを特徴とする手段２又は３に記載のブリスタ包装機。
【００２１】
上記手段４によれば、水抜孔を形成すべく底部を押抜いた後に、押抜かれた部分が底部に連結された状態で維持されるようにブリスタパックが構成されている。従って、押抜かれた部分が底部から切り離され、ゴミとして処理しなければならなくなるという事態をより確実に防止できる。その結果、無駄な手間を省くことができ、使い勝手を一層高めることができる。
【００２２】
手段５．前記容器フィルムは、前記ポケット部の開口側端部から外側に延出形成された、前記カバーフィルムの取着されるフランジ部を有し、
前記ポケット部は、
前記フランジ部に連なるとともに、内周側に向けて徐々に前記底部側に傾斜するテーパ部と、
当該テーパ部よりも内周側に位置し、前記ワークが収容される収容部とを有し、
前記取付手段よりも上流側において、前記容器フィルムに対し前記ポケット部を形成するポケット部形成手段を備え、
前記ポケット部形成手段は、前記ポケット部の形成に際し、前記テーパ部及び前記収容部を一度に形成するように構成されていることを特徴とする手段１乃至４のいずれかに記載のブリスタ包装機。
【００２３】
上記手段５によれば、容器フィルムを収容箱として使用しているとき、及び、収容手段によりポケット部へとワークを収容するときに、テーパ部によってワークを収容部側へと案内することができ、収容部へとワークをより確実に収容することができる。従って、使い勝手をより高めることができるとともに、生産性の向上を図ることができる。
【００２４】
また、上記手段５によれば、ポケット部形成手段によって、収容部及びテーパ部を一度に形成することができるため、生産性を一層高めることができる。
【００２５】
手段６．前記ポケット部形成手段は、前記ポケット部の形成に際し、前記容器フィルムに対し、前記収容部の内面と前記ワークとの間に指が入る程度の隙間を作るための凹部を形成するように構成されていることを特徴とする手段５に記載のブリスタ包装機。
【００２６】
上記手段６によれば、得られたブリスタパックは、凹部を備えており、ワークと収容部の内面との間に指が入る程度の隙間を有するものとされる。従って、容器フィルムからワークを取出しやすくなり、使い勝手をより一層向上させることができる。
【図面の簡単な説明】
【００２７】
【図１】ブリスタパックの斜視図である。
【図２】ブリスタパックの断面図である。
【図３】ワークが収容されていない状態の容器フィルムの斜視図である。
【図４】ワークが収容されている状態の容器フィルムの斜視図である。
【図５】容器フィルムの平面図である。
【図６】滑り止めシート等を示すためのブリスタパックの斜視図である。
【図７】ブリスタ包装機の概略構成を示す模式図である。
【図８】別の実施形態におけるノッチ部を示すための容器フィルムの平面図である。
【図９】別の実施形態におけるシート供給・貼付装置及び支持機構を示す模式図である。
【発明を実施するための形態】
【００２８】
以下、一実施形態について図面を参照しつつ説明する。図１及び図２に示すように、ブリスタパック１は、容器フィルム２と、当該容器フィルム２に取着されたカバーフィルム３とを備えている。尚、図１等では、容器フィルム２及びカバーフィルム３等を実際よりも厚肉に示している。
【００２９】
容器フィルム２は、例えばＰＰ（ポリプロピレン）やＰＶＣ（ポリ塩化ビニル）、ＰＥ（ポリエチレン）等の熱可塑性樹脂材料によって構成されている。カバーフィルム３は、例えば、前記容器フィルム２と相溶性のある熱可塑性樹脂によって構成されている。
【００３０】
また、容器フィルム２は、所定のワークＷ（本実施形態では、固形石鹸）を収容するためのポケット部４と、当該ポケット部４の開口側端部から外側に延出形成された鍔状のフランジ部５とを備えている。フランジ部５は、少なくとも上面が平坦状をなしており、この上面に対しカバーフィルム３が取着されている。
【００３１】
本実施形態におけるブリスタパック１は、カバーフィルム３を外した後の容器フィルム２を、ワークＷの収容箱として快適に利用することができるように、各種特徴を備えている。次いで、これら特徴に関して説明する。
【００３２】
図３〜５に示すように、ポケット部４は、フランジ部５に連なるとともに、内周側に向けて徐々にポケット部４の底部４Ａ側に傾斜するテーパ部６と、このテーパ部６の内周側に位置し、前記ワークＷの収容される収容部７とを備えている。テーパ部６は、自身に対しワークＷが載ったときに、収容部７側へとワークＷを案内するものである。
【００３３】
収容部７は、ワークＷが収容される平面視矩形状の収容空間を形成する部位である。本実施形態において、収容部７は、前記収容空間がワークＷよりも一回りだけ大きいものとなるように、その形状が設定されている。これにより、収容部７内において、ワークＷが大きく移動してしまうことを防止でき、ワークＷを比較的容易に取り出すことができるようになっている。尚、ワークＷが大きく移動してしまうことを防止できることで、搬送時などにおけるワークＷの損傷抑制を図ることも可能である。
【００３４】
さらに、ポケット部４は、収容部７の内面とワークＷとの間に指が入る程度の隙間９を作るための凹部８を備えている。隙間９を利用することで、ワークＷをより容易に取り出すことができるようになっている。尚、本実施形態において、凹部８は、底部４Ａの中心を挟む位置に二対設けられている。そのため、一対の凹部８にそれぞれ指を入れた上で、これら指によってワークＷを掴んで取り出すといったことが可能となっている。
【００３５】
加えて、ポケット部４の底部４Ａには、ポケット部４の内部空間側に向けて突出する台座部１０が形成されている。リブ部１０は、ワークＷに接触することで、ワークＷを支持するものである。また、台座部１０の周囲には、環状の溝部１１が形成されている。台座部１０とこれよりも低い位置にある溝部１１とが存在することによって、ワークＷに付着した水は溝部１１へと流れ落ちることとなり、ワークＷにおける良好な水切れを実現することができるようになっている。
【００３６】
さらに、底部４Ａのうち溝部１１を形成する部位には、孔形成用手段としてのノッチ部１２が形成されている。本実施形態において、ノッチ部１２は、底部４Ａの外面に形成された、底部４Ａを貫通しない環状の切込みによって構成されている。底部４Ａのうちノッチ部１２で囲まれた部位を押抜くことで、底部４Ａに対し水抜孔を形成することができるようになっている。
【００３７】
また、本実施形態において、ノッチ部１２は、一対の凹部８に対応する位置に設けられている。そのため、水抜孔の形成後、ワークＷを取出すべく前記一対の凹部８へと指を入れたときに、この指に対して、ワークＷから流れ落ちた水等が付着しにくくなっている。これにより、容器フィルム２をワークＷの収容箱として用いたときに、より快適に利用可能となっている。
【００３８】
さらに、図６に示すように、ブリスタパック１は、底部４Ａにおける前記ノッチ部１２の形成部以外の部位における外面に取付けられた、滑り止め手段としての滑り止めシート１３を有している。滑り止めシート１３は、容器フィルム２をワークＷの収容箱として用いたときなどに、容器フィルム２の滑り移動を抑制するものである。本実施形態では、容器フィルム２の長手方向に沿って延びる２本の滑り止めシート１３が設けられている。また、本実施形態における滑り止めシート１３は、例えば、自己粘着性を有する薄手シート状の透明又は半透明のゲル状物質（例えば、ウレタンゲルやシリコーンゲル、スチレン系ゲル、オレフィン系ゲル）に対し、網目状に貫通する多数の孔を有する薄肉の芯材が埋設されてなる粘着シートによって構成されている。滑り止めシート１３は、所定の接着層を介して底部４Ａの外面に貼付されている。
【００３９】
次に、上記ブリスタパック１を製造するためのブリスタ包装機２０の構成について説明する。
【００４０】
図７に示すように、ブリスタ包装機２０では、ロール状の原反から引き出された帯状の容器フィルム２が所定のコンベア２１（例えば、チェーンクリップコンベア等）により下流側へ向け間欠搬送されていく。
【００４１】
容器フィルム２原反の下流側には、まず加熱装置２２及びポケット部形成装置２３が設けられている。加熱装置２２及びポケット部形成装置２３によって、本実施形態におけるポケット部形成手段が構成される。
【００４２】
加熱装置２２は、容器フィルム２を挟んで上下に配置される上型２２ａ及び下型２２ｂを備え、容器フィルム２のポケット部４の形成範囲を部分的に加熱可能に構成されている。
【００４３】
ポケット部形成装置２３は、ポケット部４の形状とおよそ相似的で小さいプラグ（図示略）を有した上型２３ａと、ポケット部４の形状に対応した成形凹部（図示略）を有した下型２３ｂとを備えている。すなわち、下型２３ｂの成形凹部には、少なくともテーパ部６、収容部７、凹部８及び台座部１０に対応する部位が設けられている。
【００４４】
ポケット部４を形成する際には、まず、容器フィルム２が加熱装置２２により加熱され比較的柔軟になった状態において、上型２３ａ及び下型２３ｂが互いに接近する方向へ相対移動する。続いて、上型２３ａから前記プラグが突出し、ポケット部４の大まかな形状を形成する。最後に上型２３ａから容器フィルム２へとガスを吹き付け、容器フィルム２を下型２３ｂの前記成形凹部に押し付けることで、容器フィルム２の所定位置に、テーパ部６、収容部７、凹部８及び台座部１０を備えたポケット部４が成形される。すなわち、本実施形態では、ポケット部４の形成に際し、テーパ部６及び収容部７等が一度に形成される。尚、このポケット部４の成形は、容器フィルム２の搬送動作間のインターバルの際に行われる。
【００４５】
さらに、ポケット部形成装置２３の下流側には、ポケット部４の底部４Ａの外面に対し、ノッチ部１２を形成するための加工手段としてのノッチ部形成装置２４が設けられている。ノッチ部形成装置２４は、ポケット部４の突出側に配置されたカッタ２４ａと、ポケット部４の開口側に配置された押え部材２４ｂとを備えている。カッタ２４ａは、容器フィルム２に対し接離移動可能であり、ノッチ部１２の形状に対応する環状の刃を備えている。押え部材２４ｂは、カッタ２４ａと同様、容器フィルム２に対し接離移動可能であり、底部４Ａの内面に対応する形状の受け型を備えている。
【００４６】
ノッチ部１２を形成する際には、押え部材２４ｂの前記受け型によってポケット部４を支持した状態で、カッタ２４ａを容器フィルム２へと接近移動させ、カッタ２４ａを所定量だけ容器フィルム２へと食い込ませる。このとき、カッタ２４ａは、容器フィルム２を貫通しないようにその移動が調節される。その結果、容器フィルム２に対し、容器フィルム２を貫通しないノッチ部１２が形成される。尚、ノッチ部１２の形成は、容器フィルム２の搬送動作間のインターバルの際に行われる。
【００４７】
ノッチ部形成装置２４の下流側には、底部４Ａの外面に対し、滑り止めシート１３を貼付するためのシート貼付装置２５が設けられている。シート貼付装置２５は、取付手段としてのシート供給・貼付機構２６と、支持手段としての支持機構２７とを備えている。
【００４８】
シート供給・貼付機構２６は、シート供給機構２６ａと、シート保持機構２６ｂとを備えている。
【００４９】
シート供給機構２６ａは、ロール状の原反から引き出された滑り止めシート１３を所定長さに切断した上で、その所定長さの滑り止めシート１３をシート保持機構２６ｂへと供給するものである。尚、滑り止めシート１３は、予め接着層が設けられた状態とされている。
【００５０】
シート保持機構２６ｂは、ポケット部４の突出側に配置されており、シート保持機構２６ｂから供給された滑り止めシート１３を、例えば、吸引などによって保持するものである。シート保持機構２６ｂは、図示しない駆動手段によって、容器フィルム２に対して接離移動可能に構成されている。
【００５１】
支持機構２７は、容器フィルム２側に位置する先端面が底部４Ａの内面に対応する形状をなしている。また、支持機構２７は、図示しない駆動手段によって、容器フィルム２に対し接離移動可能に構成されている。
【００５２】
滑り止めシート１３を貼付する際には、まず、容器フィルム２の搬送動作間のインターバルにおいて、滑り止めシート１３を保持したシート保持機構２６ｂと支持機構２７とをそれぞれ容器フィルム２側へと接近移動させる。そして、支持機構２７により、ポケット部４の内部から底部４Ａを支持した状態で、シート保持機構２６ｂによって、これに保持されている滑り止めシート１３を底部４Ａの外面へと圧接される。これにより、接着層を介して、底部４Ａの外面に対し滑り止めシート１３が貼付される。
【００５３】
シート貼付装置２５の下流側には、ポケット部４にワークＷを収容する収容手段としての収容装置２８が設けられている。収容装置２８は、例えば、所定間隔毎に図示しないシャッタを開くことでワークＷを落下させるものであり、このシャッタ開放動作に伴いポケット部４に対しワークＷが収容される。
【００５４】
また、帯状に形成されたカバーフィルム３の原反は、前記容器フィルム２とは別にロール状に捲回されて配置されている。当該原反から引き出されたカバーフィルム３は、収容装置２８の下流側に設けられた受けローラ３３へと案内されている。カバーフィルム３は、受けローラ３３まで案内されることで、ポケット部４を塞ぐようにして容器フィルム２に重ねられることとなる。
【００５５】
受けローラ３３の下流側には、シール手段としてのシール装置２９が設けられている。シール装置２９は、加熱可能な上型２９ａと、ポケット部４に対応する凹部又は開口の形成された下型２９ｂとを備えており、両型２９ａ，２９ｂが接離移動可能に構成されている。
【００５６】
容器フィルム２に対しカバーフィルム３を取着する際には、上型２９ａ及び下型２９ｂ間を容器フィルム２等に接近移動させ、上型２９ａ及び下型２９ｂ間によって、フランジ部５とカバーフィルム３とを挟み込みつつ、加熱する。これにより、フランジ部５に対しカバーフィルム３が取着される。
【００５７】
シール装置２９の下流側には、容器フィルム２に対しカバーフィルム３が取着されてなるからなる帯状のブリスタフィルム１４を、１パック単位に打抜く打抜装置３０が設けられている。打抜装置３０は、上型３０ａ及び下型３０ｂを備えている。上型３０ａには、所定の打抜刃（図示せず）が設けられているとともに、下型３０ｂには、前記打抜刃に対向する開口（図示せず）が形成されている。そして、上型３０ａ及び下型３０ｂが互いに接触方向へ移動することでブリスタフィルム１４が打ち抜かれ、ブリスタパック１が得られるようになっている。
【００５８】
また、打抜装置３０の下方には、得られたブリスタパック１を移送するためのコンベア３１が設けられている。ブリスタパック１は、前記コンベア３１によって図示しない完成品用ホッパに移送されるようになっている。
【００５９】
さらに、打抜装置３０の下流には、ブリスタパック１の打抜きにより残ったスクラップ部を裁断する図示しない裁断装置が配設されている。そして、前記スクラップ部は、前記裁断装置において所定寸法に裁断され、図示しない所定のスクラップ用ホッパに貯留されるようになっている。
【００６０】
以上詳述したように、本実施形態によれば、ポケット部４に対するワークＷの収容前に、ポケット部４の内部からポケット部４における滑り止めシート１３の被取付部分（取付予定部分）を支持した状態で、ポケット部４の底部４Ａ外面に対し滑り止めシート１３が貼付される。従って、貼付に伴う負荷をワークＷに加えることなく、つまり、ワークＷの破損をより確実に防止しつつ、比較的容易に変形のしやすいポケット部４に対し、滑り止めシート１３を強固に貼付することができる。また、滑り止めシート１３が強固に貼付されることで、製造されたブリスタパック１において、滑り止めシート１３の機能が十分に発揮されることとなる。そのため、開封後の容器フィルム２をワークＷの収容箱として用いたときに、良好な使い勝手を得ることができる。
【００６１】
また、得られたブリスタパック１においては、ノッチ部１２を利用して、ポケット部４の底部４Ａを押抜くことにより、水抜孔を形成することができる。従って、開封後の容器フィルム２をワークＷの収容箱として用いたときに、ワークＷに付着した水などが収容箱に溜まりにくくなる。これにより、溜まった水にワークＷが浸かってしまうことで、利用者がワークＷを使う際に不快感を覚えたり、ワークＷが無駄になってしまったりすることをより確実に防止できる。その結果、一層良好な使い勝手を得ることができる。
【００６２】
さらに、ノッチ部１２は、ポケット部４の底部４Ａを貫通しない切込みによって構成されている。そのため、製造されたブリスタパック１において、カバーフィルム３の開封前に、ポケット部４内に収容されたワークＷが水分に晒されてしまうことを抑制でき、ワークＷの品質低下を抑制することができる。また、ポケット部４内に水分が入り込むことを防止できるため、ワークＷの使用場所である浴室や洗面台の傍などの湿度が比較的高くなりやすい場所においても、ブリスタパック１を保管しておくことができる。従って、使い勝手をさらに高めることができる。
【００６３】
加えて、容器フィルム２を収容箱として使用しているとき、及び、収容装置２８によりポケット部４へとワークＷを収容するときに、テーパ部６によってワークＷを収容部７側へと案内することができ、収容部７へとワークＷをより確実に収容することができる。従って、使い勝手をより高めることができるとともに、生産性の向上を図ることができる。
【００６４】
併せて、得られたブリスタパック１は、凹部８を備えており、ワークＷと収容部７の内面との間に指が入る程度の隙間９を有するものとされている。従って、容器フィルム２からワークＷを取出しやすくなり、使い勝手をより一層向上させることができる。
【００６５】
また、本実施形態によれば、必ずしもワークＷの収容空間の形状をワークＷに対応する形状としなくてもよいため、ワークＷやポケット部４の形状設計に関する自由度を高めることができる。従って、本実施形態のように、前記収容空間がワークＷよりも大きい形状となるように、収容部７の形状を設定することができ、ポケット部４からワークＷを一層取出しやすくすることができる。その結果、使い勝手のより一層の向上を図ることができる。
【００６６】
さらに、ポケット部形成装置２３によって、収容部７及びテーパ部６等を一度に形成することができる。そのため、生産性を一層高めることができる。
【００６７】
尚、上記実施形態の記載内容に限定されず、例えば次のように実施してもよい。勿論、以下において例示しない他の応用例、変更例も当然可能である。
【００６８】
（ａ）上記実施形態で挙げた滑り止めシート１３は、滑り止め手段の一例であって、滑り止め手段は、容器フィルム２をワークＷの収容箱として用いたときに、滑り止め手段を設けない場合に比べて、容器フィルム２の滑り移動を抑制できるものであればよい。
【００６９】
従って、滑り止め手段としては、例えば、薄肉の芯材に対し、自己粘着性を有するゲル状物質を取着してなる粘着シートを用いてもよいし、発泡体を形成する樹脂及び粘着性を有する樹脂を組合わせて混合した上で形成された発泡層を有してなる吸着シートを用いてもよい。また、薄肉の芯材と当該芯材表面に設けられた接着剤の層とを備え、容器フィルム２をワークＷの収容箱として用いた場合に、前記接着剤により前記収容箱の置き場へと接着されることとなる接着シートを用いてもよいし、静電荷帯電可能なポリマーによって形成された、多孔質層を備えてなる静電吸着シートを用いてもよい。
【００７０】
さらに、ゴムや樹脂などからなる摩擦力が比較的大きな材料を、底部４Ａの外面に対し吹き付け等により取着することによって滑り止め手段を形成してもよい。
【００７１】
（ｂ）上記実施形態において、ノッチ部１２は環状をなしており、底部４Ａのうちノッチ部１２で囲まれた部位を押抜いたときには、通常、押抜かれた部位が底部４Ａから切り離されるように構成されている。これに対し、例えば、図８に示すように、ノッチ部４２を非環状とすること等により、底部４Ａのうち水抜孔を形成するために押抜かれた部位が、底部４Ａに連結された状態で維持されるように構成してもよい。この場合には、押抜かれた部位が底部４Ａから切り離され、ゴミとして処理しなければならなくなるという事態をより確実に防止できる。その結果、無駄な手間を省くことができ、使い勝手を一層高めることができる。
【００７２】
（ｃ）取付手段としてのシート供給・貼付機構２６の構成は、上記実施形態で挙げたものに限定されるわけではない。従って、例えば、図９に示すように、シート供給・貼付機構４６が、底部４Ａに対し外周面が圧接可能に構成された押圧ローラ４６ａを備えるものであってもよい。この場合、シート切断カッタ４６ｂにより所定長さに切断された滑り止めシート１３は、容器フィルム２の搬送に伴い、前記押圧ローラ４６ａによって底部４Ａの外面へと押付けられて貼付される。
【００７３】
尚、押圧ローラ４６ａは、外周に負圧の供給された多数の孔（図示せず）を備えてなる吸着ローラであってもよい。また、押圧ローラ４６ａは、所定の駆動手段によって容器フィルム２の搬送に合わせて回転する駆動ローラであってもよいし、容器フィルム２への接触に伴い回転する自由回転可能な従動ローラであってもよおい。
【００７４】
尚、上記のように、容器フィルム２の搬送中に滑り止めシート１３を貼付する場合には、支持機構４７として、容器フィルム２の搬送に合わせて回転可能であり、押圧ローラ４６ａとの間で容器フィルム２を挟み込み可能な支持ローラ４７ａ（例えば、従動ローラ）を有するものを用いてもよい。
【００７５】
（ｄ）上記実施形態では、加工手段としてのノッチ部形成手段によって、孔形成用手段としての底部４Ａを貫通しないノッチ部１２が形成されている。これに対し、加工手段としてのミシン目形成手段によって、孔形成用手段としての底部４Ａを貫通するミシン目を形成することとしてもよい。
【００７６】
（ｅ）上記実施形態では、ポケット部４及びノッチ部１２は個別に形成されるように構成されているが、例えば、ポケット部形成装置２３の下型２３ｂに対し、ノッチ部１２に対応する突起などを設けることで、ポケット部４及びノッチ部１２を一度に形成してもよい。つまり、ポケット部形成手段及び加工手段を一体化してもよい。この場合には、装置の簡素化を図ることができ、装置の製造等に係る各種コストの低減を図ることができる。
【００７７】
（ｆ）上記実施形態において、ノッチ部形成装置２４は、シート貼付装置２５の上流側に設けられているが、ノッチ部形成装置２４をシート貼付装置２５の下流側に設けてもよい。また、ノッチ部形成装置２４において、カッタ２４ａをポケット部４の突出側に配置し、押え部材２４ｂをポケット部４の開口側に配置することで、ノッチ部１２を底部４Ａの内面に形成することとしてもよい。さらに、ノッチ部形成装置２４をシート貼付装置２５の下流側に設けつつ、押え部材２４ｂをポケット部４の開口側に配置した場合には、ノッチ部１２の形成時に、押え部材２４ｂが滑り止めシート１３を押圧するように構成してもよい。この場合には、装置の複雑化を抑制しつつ、底部４Ａに対し滑り止めシート１３をより強固に貼付することができる。
【００７８】
（ｇ）上記実施形態では、ワークＷとして固形石鹸を挙げており、また、各ポケット部４に対しそれぞれ１つのワークＷが収容されるように構成されているが、ワークの種別や形状等、及び、ポケット部４に収容されるワークＷの数については適宜変更可能である。例えば、ワークは、体や食器などの洗浄や清掃のために用いられる洗浄具（例えば、たわしやブロック状のスポンジ、軽石など）などであってもよい。また、ワークとしての電池（例えば、充電池）や物品（例えば、食品）を収容した小袋などが、ポケット部４に対し複数収容されるように構成してもよい。
【符号の説明】
【００７９】
１…ブリスタパック、２…容器フィルム、３…カバーフィルム、４…ポケット部、５…フランジ部、６…テーパ部、７…収容部、８…凹部、９…隙間、１２…ノッチ部（孔形成用手段）、１３…滑り止めシート（滑り止め手段）、２０…ブリスタ包装機、２２…加熱装置（ポケット部形成手段）、２３…ポケット部形成装置（ポケット部形成手段）、２４…ノッチ部形成装置（加工手段）、２６…シート供給・貼付機構（取付手段）、２７…支持機構（支持手段）、２８…収容装置（収容手段）、２９…シール装置（シール手段）、Ｗ…ワーク。
【図１】
2017145033.tif 000003
【図２】
2017145033.tif 000004
【図３】
2017145033.tif 000005
【図４】
2017145033.tif 000006
【図５】
2017145033.tif 000007
【図６】
2017145033.tif 000008
【図７】
2017145033.tif 000009
【図８】
2017145033.tif 000010
【図９】
2017145033.tif 000011
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
所定のワークを収容するためのポケット部が形成された容器フィルムと、
前記ポケット部に前記ワークが収容された状態で前記ポケット部を塞ぐようにして前記容器フィルムに取着されたカバーフィルムと、
前記ポケット部の底部外面に取付けられた滑り止め手段とを備え、
前記カバーフィルムを外した後の前記容器フィルムを、前記ワークの収容箱として利用可能に構成されたブリスタパックを製造するためのブリスタ包装機であって、
前記ポケット部に前記ワークを収容する収容手段と、
前記収容手段よりも下流側において、前記容器フィルムに前記カバーフィルムを取着するシール手段と、
前記収容手段よりも上流側において、前記ポケット部の底部外面に前記滑り止め手段を取付ける取付手段と、
前記滑り止め手段の取付時に、前記ポケット部の内部において、前記ポケット部における前記滑り止め手段の被取付部分を支持する支持手段とを備え、
前記ブリスタパックは、
前記ポケット部の底部のうち前記滑り止め手段の被取付部分以外の部位に、前記底部を押抜いて水抜孔を形成するための孔形成用手段を有しているとともに、前記底部のうち前記水抜孔を形成するために押抜かれた部位が、前記底部に連結された状態で維持されるように構成されており、
前記収容手段の上流側において、前記底部に対し、前記孔形成用手段を設けるための加工手段を備えることを特徴とするブリスタ包装機。
【請求項２】
前記孔形成用手段は、前記底部を貫通しない状態の切込みからなることを特徴とする請求項１に記載のブリスタ包装機。
【請求項３】
前記容器フィルムは、前記ポケット部の開口側端部から外側に延出形成された、前記カバーフィルムの取着されるフランジ部を有し、
前記ポケット部は、
前記フランジ部に連なるとともに、内周側に向けて徐々に前記底部側に傾斜するテーパ部と、
当該テーパ部よりも内周側に位置し、前記ワークが収容される収容部とを有し、
前記取付手段よりも上流側において、前記容器フィルムに対し前記ポケット部を形成するポケット部形成手段を備え、
前記ポケット部形成手段は、前記ポケット部の形成に際し、前記テーパ部及び前記収容部を一度に形成するように構成されていることを特徴とする請求項１又は２に記載のブリスタ包装機。
【請求項４】
前記ポケット部形成手段は、前記ポケット部の形成に際し、前記容器フィルムに対し、前記収容部の内面と前記ワークとの間に指が入る程度の隙間を作るための凹部を形成するように構成されていることを特徴とする請求項３に記載のブリスタ包装機。
【手続補正２】
【補正対象書類名】明細書
【補正対象項目名】全文
【補正方法】変更
【補正の内容】
【発明の詳細な説明】
【技術分野】
【０００１】
本発明は、所定のワークを収容するブリスタパックを製造するためのブリスタ包装機に関する。
【背景技術】
【０００２】
ブリスタパックは、各種ワーク（例えば、固形石鹸やペットフードなど）が収容されるポケット部の形成された容器フィルムと、その容器フィルムに対しポケット部の開口側を密封するように取着されるカバーフィルムとを備える。
【０００３】
また、ブリスタパックを製造するためのブリスタ包装機としては、帯状の容器フィルムに対しポケット部を形成するポケット部形成手段、ポケット部にワークを収容する収容手段、容器フィルムに対しカバーフィルムを取着することで帯状のブリスタフィルムを得るシール手段、及び、ブリスタフィルムを１パック単位に打抜き、ブリスタパックを得る打抜手段などを有するものが知られている。
【０００４】
また、ブリスタパックの開封後、ブリスタパックにおける容器フィルム部分をワークの収容箱として利用する手法が提案されている（例えば、特許文献１等参照）。
【０００５】
しかし、一般に容器フィルム部分は非常に軽いため、前記収容箱は比較的容易に動いてしまう。そのため、前記収容箱の配置位置や姿勢が定まりにくく、使い勝手の面で問題が生じてしまう可能性がある。
【０００６】
そこで、ポケット部の底面に粘着シートを取付け（貼付し）、容器フィルムを動きにくいものとすることにより、使い勝手の向上を図ることが考えられる（例えば、特許文献２等参照）。ここで、前記効果を十分に発揮させるためには、ポケット部の底面に対し粘着シートが強固に取付けられていることが好ましい。
【０００７】
ところが、ポケット部は通常容易に変形しやすいものであるため、ポケット部に対し粘着シートを強固に取付けることは難しい。
【０００８】
そこで、ポケット部に対しシートを取付ける際に、ポケット部に収容されたワークをポケット部の支えとして用いることで、ポケット部の底面に対しシートをより強固に取付けることが考えられる（例えば、特許文献３等参照）。
【先行技術文献】
【特許文献】
【０００９】
【特許文献１】実開昭５６−１３５４６４号公報
【特許文献２】特開２００２−９６８３５号公報
【特許文献３】実開昭６１−８０２０５号公報
【発明の概要】
【発明が解決しようとする課題】
【００１０】
しかしながら、ワークをポケット部の支えとして用いる場合には、ポケット部内においてワークが容易に位置変化しないように、ポケット部の形状をワークの形状に合わせたものとすること等が必要となる。そのため、このような形状の容器フィルムを収容箱として用いた場合には、ポケット部からのワークの取出しや、ポケット部に対するワークの収容が行いにくくなってしまい、使い勝手が悪くなってしまうおそれがある。また、シートの取付時にワークへと負荷が加わってしまい、ワークの破損を招いてしまうことも考えられる。
【００１１】
本発明は、上記事情に鑑みてなされたものであり、その目的は、ワークの破損防止をより確実に図りつつ、ポケット部に対し滑り止め手段を強固に取付けることができ、開封後の容器フィルムをワークの収容箱として用いたときに、良好な使い勝手を得ることができるブリスタパックを製造するためのブリスタ包装機を提供することにある。
【課題を解決するための手段】
【００１２】
以下、上記目的を解決するのに適した各手段につき、項分けして説明する。なお、必要に応じて対応する手段に特有の作用効果を付記する。
【００１３】
手段１．所定のワークを収容するためのポケット部が形成された容器フィルムと、
前記ポケット部に前記ワークが収容された状態で前記ポケット部を塞ぐようにして前記容器フィルムに取着されたカバーフィルムと、
前記ポケット部の底部外面に取付けられた滑り止め手段とを備え、
前記カバーフィルムを外した後の前記容器フィルムを、前記ワークの収容箱として利用可能に構成されたブリスタパックを製造するためのブリスタ包装機であって、
前記ポケット部に前記ワークを収容する収容手段と、
前記収容手段よりも下流側において、前記容器フィルムに前記カバーフィルムを取着するシール手段と、
前記収容手段よりも上流側において、前記ポケット部の底部外面に前記滑り止め手段を取付ける取付手段と、
前記滑り止め手段の取付時に、前記ポケット部の内部において、前記ポケット部における前記滑り止め手段の被取付部分を支持する支持手段とを備え、
前記ブリスタパックは、
前記ポケット部の底部のうち前記滑り止め手段の被取付部分以外の部位に、前記底部を押抜いて水抜孔を形成するための孔形成用手段を有しているとともに、前記底部のうち前記水抜孔を形成するために押抜かれた部位が、前記底部に連結された状態で維持されるように構成されており、
前記収容手段の上流側において、前記底部に対し、前記孔形成用手段を設けるための加工手段を備えることを特徴とするブリスタ包装機。
【００１４】
上記手段１によれば、ポケット部に対するワークの収容前に、ポケット部の内部からポケット部における滑り止め手段の被取付部分（取付予定部分）を支持した状態で、ポケット部の底部外面に対し滑り止め手段が取付けられる。従って、取付に伴う負荷をワークに加えることなく、つまり、ワークの破損をより確実に防止しつつ、比較的容易に変形のしやすいポケット部に対し、滑り止め手段を強固に取付けることができる。また、滑り止め手段が強固に取付けられることで、製造されたブリスタパックにおいて、滑り止め手段の機能が十分に発揮されることとなる。そのため、開封後の容器フィルムをワークの収容箱として用いたときに、良好な使い勝手を得ることができる。
【００１５】
さらに、上記手段１によれば、ポケット部内においてワークが位置変化しないように、ポケット部の形状をワークの形状に合わせたものとするといった必要はなくなる。そのため、ワークやポケット部の形状設計に関する自由度を高めることができる。従って、容器フィルムを収容箱として用いたときに、ポケット部からワークが取出しやすくなる形状などを採用することができ、使い勝手の一層の向上を図ることができる。
【００１６】
また、上記手段１によれば、加工手段によって、ポケット部の底部に孔形成用手段が形成される。そして、得られたブリスタパックにおいては、孔形成用手段を利用して、ポケット部の底部を押抜くことで、水抜孔を形成することができる。従って、例えば、ワークが固形石鹸であり、開封後の容器フィルムをその収容箱として用いたときに、固形石鹸等に付着した水などが収容箱に溜まりにくくなる。これにより、溜まった水に固形石鹸等が浸かってしまうことで、利用者が固形石鹸等を使う際に不快感を覚えたり、固形石鹸等が無駄になってしまったりすることをより確実に防止できる。その結果、一層良好な使い勝手を得ることができる。
【００１７】
さらに、上記手段１によれば、水抜孔を形成すべく底部を押抜いた後に、押抜かれた部分が底部に連結された状態で維持されるようにブリスタパックが構成されている。従って、押抜かれた部分が底部から切り離され、ゴミとして処理しなければならなくなるという事態をより確実に防止できる。その結果、無駄な手間を省くことができ、使い勝手を一層高めることができる。
【００１８】
手段２．前記孔形成用手段は、前記底部を貫通しない状態の切込みからなることを特徴とする手段１に記載のブリスタ包装機。
【００１９】
上記手段２によれば、孔形成用手段はポケット部の底部を貫通しない切込みによって構成されている。そのため、製造されたブリスタパックにおいて、カバーフィルムの開封前に、ポケット部内に収容されたワークが水分に晒されてしまうことを抑制でき、ワークの品質低下等を抑制することができる。また、ポケット部内に水分が入り込むことを防止できるため、ワークの使用場所の湿度が比較的高くなりやすい場合であっても、この使用場所やその近傍にブリスタパックを保管しておくことができる。従って、使い勝手をさらに高めることができる。
【００２０】
手段３．前記容器フィルムは、前記ポケット部の開口側端部から外側に延出形成された、前記カバーフィルムの取着されるフランジ部を有し、
前記ポケット部は、
前記フランジ部に連なるとともに、内周側に向けて徐々に前記底部側に傾斜するテーパ部と、
当該テーパ部よりも内周側に位置し、前記ワークが収容される収容部とを有し、
前記取付手段よりも上流側において、前記容器フィルムに対し前記ポケット部を形成するポケット部形成手段を備え、
前記ポケット部形成手段は、前記ポケット部の形成に際し、前記テーパ部及び前記収容部を一度に形成するように構成されていることを特徴とする手段１又は２に記載のブリスタ包装機。
【００２１】
上記手段３によれば、容器フィルムを収容箱として使用しているとき、及び、収容手段によりポケット部へとワークを収容するときに、テーパ部によってワークを収容部側へと案内することができ、収容部へとワークをより確実に収容することができる。従って、使い勝手をより高めることができるとともに、生産性の向上を図ることができる。
【００２２】
また、上記手段３によれば、ポケット部形成手段によって、収容部及びテーパ部を一度に形成することができるため、生産性を一層高めることができる。
【００２３】
手段４．前記ポケット部形成手段は、前記ポケット部の形成に際し、前記容器フィルムに対し、前記収容部の内面と前記ワークとの間に指が入る程度の隙間を作るための凹部を形成するように構成されていることを特徴とする手段３に記載のブリスタ包装機。
【００２４】
上記手段４によれば、得られたブリスタパックは、凹部を備えており、ワークと収容部の内面との間に指が入る程度の隙間を有するものとされる。従って、容器フィルムからワークを取出しやすくなり、使い勝手をより一層向上させることができる。
【図面の簡単な説明】
【００２５】
【図１】ブリスタパックの斜視図である。
【図２】ブリスタパックの断面図である。
【図３】ワークが収容されていない状態の容器フィルムの斜視図である。
【図４】ワークが収容されている状態の容器フィルムの斜視図である。
【図５】容器フィルムの平面図である。
【図６】滑り止めシート等を示すためのブリスタパックの斜視図である。
【図７】ブリスタ包装機の概略構成を示す模式図である。
【図８】別の実施形態におけるノッチ部を示すための容器フィルムの平面図である。
【図９】別の実施形態におけるシート供給・貼付装置及び支持機構を示す模式図である。
【発明を実施するための形態】
【００２６】
以下、一実施形態について図面を参照しつつ説明する。図１及び図２に示すように、ブリスタパック１は、容器フィルム２と、当該容器フィルム２に取着されたカバーフィルム３とを備えている。尚、図１等では、容器フィルム２及びカバーフィルム３等を実際よりも厚肉に示している。
【００２７】
容器フィルム２は、例えばＰＰ（ポリプロピレン）やＰＶＣ（ポリ塩化ビニル）、ＰＥ（ポリエチレン）等の熱可塑性樹脂材料によって構成されている。カバーフィルム３は、例えば、前記容器フィルム２と相溶性のある熱可塑性樹脂によって構成されている。
【００２８】
また、容器フィルム２は、所定のワークＷ（本実施形態では、固形石鹸）を収容するためのポケット部４と、当該ポケット部４の開口側端部から外側に延出形成された鍔状のフランジ部５とを備えている。フランジ部５は、少なくとも上面が平坦状をなしており、この上面に対しカバーフィルム３が取着されている。
【００２９】
本実施形態におけるブリスタパック１は、カバーフィルム３を外した後の容器フィルム２を、ワークＷの収容箱として快適に利用することができるように、各種特徴を備えている。次いで、これら特徴に関して説明する。
【００３０】
図３〜５に示すように、ポケット部４は、フランジ部５に連なるとともに、内周側に向けて徐々にポケット部４の底部４Ａ側に傾斜するテーパ部６と、このテーパ部６の内周側に位置し、前記ワークＷの収容される収容部７とを備えている。テーパ部６は、自身に対しワークＷが載ったときに、収容部７側へとワークＷを案内するものである。
【００３１】
収容部７は、ワークＷが収容される平面視矩形状の収容空間を形成する部位である。本実施形態において、収容部７は、前記収容空間がワークＷよりも一回りだけ大きいものとなるように、その形状が設定されている。これにより、収容部７内において、ワークＷが大きく移動してしまうことを防止でき、ワークＷを比較的容易に取り出すことができるようになっている。尚、ワークＷが大きく移動してしまうことを防止できることで、搬送時などにおけるワークＷの損傷抑制を図ることも可能である。
【００３２】
さらに、ポケット部４は、収容部７の内面とワークＷとの間に指が入る程度の隙間９を作るための凹部８を備えている。隙間９を利用することで、ワークＷをより容易に取り出すことができるようになっている。尚、本実施形態において、凹部８は、底部４Ａの中心を挟む位置に二対設けられている。そのため、一対の凹部８にそれぞれ指を入れた上で、これら指によってワークＷを掴んで取り出すといったことが可能となっている。
【００３３】
加えて、ポケット部４の底部４Ａには、ポケット部４の内部空間側に向けて突出する台座部１０が形成されている。リブ部１０は、ワークＷに接触することで、ワークＷを支持するものである。また、台座部１０の周囲には、環状の溝部１１が形成されている。台座部１０とこれよりも低い位置にある溝部１１とが存在することによって、ワークＷに付着した水は溝部１１へと流れ落ちることとなり、ワークＷにおける良好な水切れを実現することができるようになっている。
【００３４】
さらに、底部４Ａのうち溝部１１を形成する部位には、孔形成用手段としてのノッチ部１２が形成されている。本実施形態において、ノッチ部１２は、底部４Ａの外面に形成された、底部４Ａを貫通しない環状の切込みによって構成されている。底部４Ａのうちノッチ部１２で囲まれた部位を押抜くことで、底部４Ａに対し水抜孔を形成することができるようになっている。
【００３５】
また、本実施形態において、ノッチ部１２は、一対の凹部８に対応する位置に設けられている。そのため、水抜孔の形成後、ワークＷを取出すべく前記一対の凹部８へと指を入れたときに、この指に対して、ワークＷから流れ落ちた水等が付着しにくくなっている。これにより、容器フィルム２をワークＷの収容箱として用いたときに、より快適に利用可能となっている。
【００３６】
さらに、図６に示すように、ブリスタパック１は、底部４Ａにおける前記ノッチ部１２の形成部以外の部位における外面に取付けられた、滑り止め手段としての滑り止めシート１３を有している。滑り止めシート１３は、容器フィルム２をワークＷの収容箱として用いたときなどに、容器フィルム２の滑り移動を抑制するものである。本実施形態では、容器フィルム２の長手方向に沿って延びる２本の滑り止めシート１３が設けられている。また、本実施形態における滑り止めシート１３は、例えば、自己粘着性を有する薄手シート状の透明又は半透明のゲル状物質（例えば、ウレタンゲルやシリコーンゲル、スチレン系ゲル、オレフィン系ゲル）に対し、網目状に貫通する多数の孔を有する薄肉の芯材が埋設されてなる粘着シートによって構成されている。滑り止めシート１３は、所定の接着層を介して底部４Ａの外面に貼付されている。
【００３７】
次に、上記ブリスタパック１を製造するためのブリスタ包装機２０の構成について説明する。
【００３８】
図７に示すように、ブリスタ包装機２０では、ロール状の原反から引き出された帯状の容器フィルム２が所定のコンベア２１（例えば、チェーンクリップコンベア等）により下流側へ向け間欠搬送されていく。
【００３９】
容器フィルム２原反の下流側には、まず加熱装置２２及びポケット部形成装置２３が設けられている。加熱装置２２及びポケット部形成装置２３によって、本実施形態におけるポケット部形成手段が構成される。
【００４０】
加熱装置２２は、容器フィルム２を挟んで上下に配置される上型２２ａ及び下型２２ｂを備え、容器フィルム２のポケット部４の形成範囲を部分的に加熱可能に構成されている。
【００４１】
ポケット部形成装置２３は、ポケット部４の形状とおよそ相似的で小さいプラグ（図示略）を有した上型２３ａと、ポケット部４の形状に対応した成形凹部（図示略）を有した下型２３ｂとを備えている。すなわち、下型２３ｂの成形凹部には、少なくともテーパ部６、収容部７、凹部８及び台座部１０に対応する部位が設けられている。
【００４２】
ポケット部４を形成する際には、まず、容器フィルム２が加熱装置２２により加熱され比較的柔軟になった状態において、上型２３ａ及び下型２３ｂが互いに接近する方向へ相対移動する。続いて、上型２３ａから前記プラグが突出し、ポケット部４の大まかな形状を形成する。最後に上型２３ａから容器フィルム２へとガスを吹き付け、容器フィルム２を下型２３ｂの前記成形凹部に押し付けることで、容器フィルム２の所定位置に、テーパ部６、収容部７、凹部８及び台座部１０を備えたポケット部４が成形される。すなわち、本実施形態では、ポケット部４の形成に際し、テーパ部６及び収容部７等が一度に形成される。尚、このポケット部４の成形は、容器フィルム２の搬送動作間のインターバルの際に行われる。
【００４３】
さらに、ポケット部形成装置２３の下流側には、ポケット部４の底部４Ａの外面に対し、ノッチ部１２を形成するための加工手段としてのノッチ部形成装置２４が設けられている。ノッチ部形成装置２４は、ポケット部４の突出側に配置されたカッタ２４ａと、ポケット部４の開口側に配置された押え部材２４ｂとを備えている。カッタ２４ａは、容器フィルム２に対し接離移動可能であり、ノッチ部１２の形状に対応する環状の刃を備えている。押え部材２４ｂは、カッタ２４ａと同様、容器フィルム２に対し接離移動可能であり、底部４Ａの内面に対応する形状の受け型を備えている。
【００４４】
ノッチ部１２を形成する際には、押え部材２４ｂの前記受け型によってポケット部４を支持した状態で、カッタ２４ａを容器フィルム２へと接近移動させ、カッタ２４ａを所定量だけ容器フィルム２へと食い込ませる。このとき、カッタ２４ａは、容器フィルム２を貫通しないようにその移動が調節される。その結果、容器フィルム２に対し、容器フィルム２を貫通しないノッチ部１２が形成される。尚、ノッチ部１２の形成は、容器フィルム２の搬送動作間のインターバルの際に行われる。
【００４５】
ノッチ部形成装置２４の下流側には、底部４Ａの外面に対し、滑り止めシート１３を貼付するためのシート貼付装置２５が設けられている。シート貼付装置２５は、取付手段としてのシート供給・貼付機構２６と、支持手段としての支持機構２７とを備えている。
【００４６】
シート供給・貼付機構２６は、シート供給機構２６ａと、シート保持機構２６ｂとを備えている。
【００４７】
シート供給機構２６ａは、ロール状の原反から引き出された滑り止めシート１３を所定長さに切断した上で、その所定長さの滑り止めシート１３をシート保持機構２６ｂへと供給するものである。尚、滑り止めシート１３は、予め接着層が設けられた状態とされている。
【００４８】
シート保持機構２６ｂは、ポケット部４の突出側に配置されており、シート保持機構２６ｂから供給された滑り止めシート１３を、例えば、吸引などによって保持するものである。シート保持機構２６ｂは、図示しない駆動手段によって、容器フィルム２に対して接離移動可能に構成されている。
【００４９】
支持機構２７は、容器フィルム２側に位置する先端面が底部４Ａの内面に対応する形状をなしている。また、支持機構２７は、図示しない駆動手段によって、容器フィルム２に対し接離移動可能に構成されている。
【００５０】
滑り止めシート１３を貼付する際には、まず、容器フィルム２の搬送動作間のインターバルにおいて、滑り止めシート１３を保持したシート保持機構２６ｂと支持機構２７とをそれぞれ容器フィルム２側へと接近移動させる。そして、支持機構２７により、ポケット部４の内部から底部４Ａを支持した状態で、シート保持機構２６ｂによって、これに保持されている滑り止めシート１３を底部４Ａの外面へと圧接される。これにより、接着層を介して、底部４Ａの外面に対し滑り止めシート１３が貼付される。
【００５１】
シート貼付装置２５の下流側には、ポケット部４にワークＷを収容する収容手段としての収容装置２８が設けられている。収容装置２８は、例えば、所定間隔毎に図示しないシャッタを開くことでワークＷを落下させるものであり、このシャッタ開放動作に伴いポケット部４に対しワークＷが収容される。
【００５２】
また、帯状に形成されたカバーフィルム３の原反は、前記容器フィルム２とは別にロール状に捲回されて配置されている。当該原反から引き出されたカバーフィルム３は、収容装置２８の下流側に設けられた受けローラ３３へと案内されている。カバーフィルム３は、受けローラ３３まで案内されることで、ポケット部４を塞ぐようにして容器フィルム２に重ねられることとなる。
【００５３】
受けローラ３３の下流側には、シール手段としてのシール装置２９が設けられている。シール装置２９は、加熱可能な上型２９ａと、ポケット部４に対応する凹部又は開口の形成された下型２９ｂとを備えており、両型２９ａ，２９ｂが接離移動可能に構成されている。
【００５４】
容器フィルム２に対しカバーフィルム３を取着する際には、上型２９ａ及び下型２９ｂ間を容器フィルム２等に接近移動させ、上型２９ａ及び下型２９ｂ間によって、フランジ部５とカバーフィルム３とを挟み込みつつ、加熱する。これにより、フランジ部５に対しカバーフィルム３が取着される。
【００５５】
シール装置２９の下流側には、容器フィルム２に対しカバーフィルム３が取着されてなるからなる帯状のブリスタフィルム１４を、１パック単位に打抜く打抜装置３０が設けられている。打抜装置３０は、上型３０ａ及び下型３０ｂを備えている。上型３０ａには、所定の打抜刃（図示せず）が設けられているとともに、下型３０ｂには、前記打抜刃に対向する開口（図示せず）が形成されている。そして、上型３０ａ及び下型３０ｂが互いに接触方向へ移動することでブリスタフィルム１４が打ち抜かれ、ブリスタパック１が得られるようになっている。
【００５６】
また、打抜装置３０の下方には、得られたブリスタパック１を移送するためのコンベア３１が設けられている。ブリスタパック１は、前記コンベア３１によって図示しない完成品用ホッパに移送されるようになっている。
【００５７】
さらに、打抜装置３０の下流には、ブリスタパック１の打抜きにより残ったスクラップ部を裁断する図示しない裁断装置が配設されている。そして、前記スクラップ部は、前記裁断装置において所定寸法に裁断され、図示しない所定のスクラップ用ホッパに貯留されるようになっている。
【００５８】
以上詳述したように、本実施形態によれば、ポケット部４に対するワークＷの収容前に、ポケット部４の内部からポケット部４における滑り止めシート１３の被取付部分（取付予定部分）を支持した状態で、ポケット部４の底部４Ａ外面に対し滑り止めシート１３が貼付される。従って、貼付に伴う負荷をワークＷに加えることなく、つまり、ワークＷの破損をより確実に防止しつつ、比較的容易に変形のしやすいポケット部４に対し、滑り止めシート１３を強固に貼付することができる。また、滑り止めシート１３が強固に貼付されることで、製造されたブリスタパック１において、滑り止めシート１３の機能が十分に発揮されることとなる。そのため、開封後の容器フィルム２をワークＷの収容箱として用いたときに、良好な使い勝手を得ることができる。
【００５９】
また、得られたブリスタパック１においては、ノッチ部１２を利用して、ポケット部４の底部４Ａを押抜くことにより、水抜孔を形成することができる。従って、開封後の容器フィルム２をワークＷの収容箱として用いたときに、ワークＷに付着した水などが収容箱に溜まりにくくなる。これにより、溜まった水にワークＷが浸かってしまうことで、利用者がワークＷを使う際に不快感を覚えたり、ワークＷが無駄になってしまったりすることをより確実に防止できる。その結果、一層良好な使い勝手を得ることができる。
【００６０】
さらに、ノッチ部１２は、ポケット部４の底部４Ａを貫通しない切込みによって構成されている。そのため、製造されたブリスタパック１において、カバーフィルム３の開封前に、ポケット部４内に収容されたワークＷが水分に晒されてしまうことを抑制でき、ワークＷの品質低下を抑制することができる。また、ポケット部４内に水分が入り込むことを防止できるため、ワークＷの使用場所である浴室や洗面台の傍などの湿度が比較的高くなりやすい場所においても、ブリスタパック１を保管しておくことができる。従って、使い勝手をさらに高めることができる。
【００６１】
加えて、容器フィルム２を収容箱として使用しているとき、及び、収容装置２８によりポケット部４へとワークＷを収容するときに、テーパ部６によってワークＷを収容部７側へと案内することができ、収容部７へとワークＷをより確実に収容することができる。従って、使い勝手をより高めることができるとともに、生産性の向上を図ることができる。
【００６２】
併せて、得られたブリスタパック１は、凹部８を備えており、ワークＷと収容部７の内面との間に指が入る程度の隙間９を有するものとされている。従って、容器フィルム２からワークＷを取出しやすくなり、使い勝手をより一層向上させることができる。
【００６３】
また、本実施形態によれば、必ずしもワークＷの収容空間の形状をワークＷに対応する形状としなくてもよいため、ワークＷやポケット部４の形状設計に関する自由度を高めることができる。従って、本実施形態のように、前記収容空間がワークＷよりも大きい形状となるように、収容部７の形状を設定することができ、ポケット部４からワークＷを一層取出しやすくすることができる。その結果、使い勝手のより一層の向上を図ることができる。
【００６４】
さらに、ポケット部形成装置２３によって、収容部７及びテーパ部６等を一度に形成することができる。そのため、生産性を一層高めることができる。
【００６５】
尚、上記実施形態の記載内容に限定されず、例えば次のように実施してもよい。勿論、以下において例示しない他の応用例、変更例も当然可能である。
【００６６】
（ａ）上記実施形態で挙げた滑り止めシート１３は、滑り止め手段の一例であって、滑り止め手段は、容器フィルム２をワークＷの収容箱として用いたときに、滑り止め手段を設けない場合に比べて、容器フィルム２の滑り移動を抑制できるものであればよい。
【００６７】
従って、滑り止め手段としては、例えば、薄肉の芯材に対し、自己粘着性を有するゲル状物質を取着してなる粘着シートを用いてもよいし、発泡体を形成する樹脂及び粘着性を有する樹脂を組合わせて混合した上で形成された発泡層を有してなる吸着シートを用いてもよい。また、薄肉の芯材と当該芯材表面に設けられた接着剤の層とを備え、容器フィルム２をワークＷの収容箱として用いた場合に、前記接着剤により前記収容箱の置き場へと接着されることとなる接着シートを用いてもよいし、静電荷帯電可能なポリマーによって形成された、多孔質層を備えてなる静電吸着シートを用いてもよい。
【００６８】
さらに、ゴムや樹脂などからなる摩擦力が比較的大きな材料を、底部４Ａの外面に対し吹き付け等により取着することによって滑り止め手段を形成してもよい。
【００６９】
（ｂ）上記実施形態において、ノッチ部１２は環状をなしており、底部４Ａのうちノッチ部１２で囲まれた部位を押抜いたときには、通常、押抜かれた部位が底部４Ａから切り離されるように構成されている。これに対し、例えば、図８に示すように、ノッチ部４２を非環状とすること等により、底部４Ａのうち水抜孔を形成するために押抜かれた部位が、底部４Ａに連結された状態で維持されるように構成してもよい。この場合には、押抜かれた部位が底部４Ａから切り離され、ゴミとして処理しなければならなくなるという事態をより確実に防止できる。その結果、無駄な手間を省くことができ、使い勝手を一層高めることができる。
【００７０】
（ｃ）取付手段としてのシート供給・貼付機構２６の構成は、上記実施形態で挙げたものに限定されるわけではない。従って、例えば、図９に示すように、シート供給・貼付機構４６が、底部４Ａに対し外周面が圧接可能に構成された押圧ローラ４６ａを備えるものであってもよい。この場合、シート切断カッタ４６ｂにより所定長さに切断された滑り止めシート１３は、容器フィルム２の搬送に伴い、前記押圧ローラ４６ａによって底部４Ａの外面へと押付けられて貼付される。
【００７１】
尚、押圧ローラ４６ａは、外周に負圧の供給された多数の孔（図示せず）を備えてなる吸着ローラであってもよい。また、押圧ローラ４６ａは、所定の駆動手段によって容器フィルム２の搬送に合わせて回転する駆動ローラであってもよいし、容器フィルム２への接触に伴い回転する自由回転可能な従動ローラであってもよおい。
【００７２】
尚、上記のように、容器フィルム２の搬送中に滑り止めシート１３を貼付する場合には、支持機構４７として、容器フィルム２の搬送に合わせて回転可能であり、押圧ローラ４６ａとの間で容器フィルム２を挟み込み可能な支持ローラ４７ａ（例えば、従動ローラ）を有するものを用いてもよい。
【００７３】
（ｄ）上記実施形態では、加工手段としてのノッチ部形成手段によって、孔形成用手段としての底部４Ａを貫通しないノッチ部１２が形成されている。これに対し、加工手段としてのミシン目形成手段によって、孔形成用手段としての底部４Ａを貫通するミシン目を形成することとしてもよい。
【００７４】
（ｅ）上記実施形態では、ポケット部４及びノッチ部１２は個別に形成されるように構成されているが、例えば、ポケット部形成装置２３の下型２３ｂに対し、ノッチ部１２に対応する突起などを設けることで、ポケット部４及びノッチ部１２を一度に形成してもよい。つまり、ポケット部形成手段及び加工手段を一体化してもよい。この場合には、装置の簡素化を図ることができ、装置の製造等に係る各種コストの低減を図ることができる。
【００７５】
（ｆ）上記実施形態において、ノッチ部形成装置２４は、シート貼付装置２５の上流側に設けられているが、ノッチ部形成装置２４をシート貼付装置２５の下流側に設けてもよい。また、ノッチ部形成装置２４において、カッタ２４ａをポケット部４の突出側に配置し、押え部材２４ｂをポケット部４の開口側に配置することで、ノッチ部１２を底部４Ａの内面に形成することとしてもよい。さらに、ノッチ部形成装置２４をシート貼付装置２５の下流側に設けつつ、押え部材２４ｂをポケット部４の開口側に配置した場合には、ノッチ部１２の形成時に、押え部材２４ｂが滑り止めシート１３を押圧するように構成してもよい。この場合には、装置の複雑化を抑制しつつ、底部４Ａに対し滑り止めシート１３をより強固に貼付することができる。
【００７６】
（ｇ）上記実施形態では、ワークＷとして固形石鹸を挙げており、また、各ポケット部４に対しそれぞれ１つのワークＷが収容されるように構成されているが、ワークの種別や形状等、及び、ポケット部４に収容されるワークＷの数については適宜変更可能である。例えば、ワークは、体や食器などの洗浄や清掃のために用いられる洗浄具（例えば、たわしやブロック状のスポンジ、軽石など）などであってもよい。また、ワークとしての電池（例えば、充電池）や物品（例えば、食品）を収容した小袋などが、ポケット部４に対し複数収容されるように構成してもよい。
【符号の説明】
【００７７】
１…ブリスタパック、２…容器フィルム、３…カバーフィルム、４…ポケット部、５…フランジ部、６…テーパ部、７…収容部、８…凹部、９…隙間、１２…ノッチ部（孔形成用手段）、１３…滑り止めシート（滑り止め手段）、２０…ブリスタ包装機、２２…加熱装置（ポケット部形成手段）、２３…ポケット部形成装置（ポケット部形成手段）、２４…ノッチ部形成装置（加工手段）、２６…シート供給・貼付機構（取付手段）、２７…支持機構（支持手段）、２８…収容装置（収容手段）、２９…シール装置（シール手段）、Ｗ…ワーク。